(57)【要約】【課題】各種の機能を改善した送風具を提供する。【解決手段】外気を身体側へ送る送風機能を少なくとも一方が有する上半身着衣及び下半身着衣を、それぞれ上半身及び下半身に着用する人が装着する送風具１０であって、装着時に上半身着衣と身体との間に上端側１２が位置し、装着時に下半身着衣と身体との間に下端側１４が位置し、上半身着衣と前記身体との間の空間と、下半身着衣と身体との間の空間を繋ぐ気体の流路を有する本体部材１１を備えている。本体部材１１の上端側１２には、装着時に上半身着衣側から身体側へ向けて下端側１３へと傾斜している上端傾斜部１４が設けられている。本体部材１１の下端側１３には、装着時に身体側から下半身着衣側へ向けて上端側１２へと傾斜している下端傾斜部１５が設けられている。【選択図】図５
2020079465.tif 000002
【特許請求の範囲】
【請求項１】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備え、
前記本体部材の前記上端側には、装着時に前記上半身着衣側から前記身体側へ向けて前記下端側へと傾斜する上端傾斜部が設けられている、送風具。
【請求項２】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備え、
前記本体部材の前記下端側には、装着時に前記身体側から前記下半身着衣側へ向けて前記上端側へと傾斜する下端傾斜部が設けられている、送風具。
【請求項３】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を複数備え、
前記本体部材どうしは、互いに相対的な回動を許容し、且つ、前記身体方向への重畳が抑制されて接続されている、送風具。
【請求項４】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を複数備え、
前記本体部材は、人が着用した場合において胴回り方向に並列に設けられ、互いの側面の一部で接続されている、送風具
【請求項５】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備え、
前記本体部材の少なくとも一部が蛇腹状である、送風具。
【請求項６】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と  前記身体との間の空間と、前記下半身着衣と前記身体との間の空間を繋ぐ気体の流路を有する本体部材を備え、
前記本体部材は、前記流路の閉塞を抑制する補強部を備える、送風具。
【請求項７】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備え、
前記本体部材は、人が着用した場合における胴回り方向の幅が身体方向の厚みよりも大きい、送風具。
【請求項８】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備え、
前記上端側の前記流路の面積と、前記下端側の前記流路の面積が異なる、送風具。
【請求項９】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を３以上備え、
前記本体部材のうちの少なくとも２つは、他の前記本体部材よりも前記流路が長い、送風具。
【請求項１０】
外気を身体側へ送る送風機能を少なくとも一方が有する上半身着衣及び下半身着衣を、それぞれ上半身及び下半身に着用する人が装着する送風具であって、
装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材と、
前記上半身着衣及び前記下半身着衣の少なくとも一方に取り付け可能な取付部と、を備える、送風具。
【請求項１１】
請求項１〜１０のいずれか１項に記載の送風具を備える着衣。
【請求項１２】
外気を身体側へ送る送風機能を少なくとも一方が有する上半身着衣及び下半身着衣を、それぞれ上半身及び下半身に着用する人が装着する送風具であって、装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備える送風具と、
前記送風具を取り付け可能な被取付部を有する前記上半身着衣及び前記下半身着衣の少なくとも一方と、を有する、空調機材。
【発明の詳細な説明】
【技術分野】
【０００１】
本発明は、送風具、その送風具を備える着衣、及び、その送風具を備える空調機材に関する。
【背景技術】
【０００２】
従来、上半身着衣又は下半身着衣に外気を身体側へと導入する送風機を設け、着衣と身体との間に導入された外気により、身体を冷却する効果を得るものが実用化されている。一方、送風機を備える着衣は、一般的な着衣と比べて高価であるという問題もある。この点を解決したものとして、特許文献１に記載の送風具がある。特許文献１に記載の送風具では、コルセットの外面に複数の筒を取り付けており、上半身着衣と身体との間の空気を下半身着衣と身体との間へと流出させることができる。こうすることで、上半身着衣のみに送風機が設けられている場合でも、下半身に対する冷却効果を得ることができるため、送風機を有する下半身着衣を用意する必要がなくなり、着衣全体のコストを低減することができる。
【先行技術文献】
【特許文献】
【０００３】
【特許文献１】特開２０１１−２４１８８９号公報
【発明の概要】
【発明が解決しようとする課題】
【０００４】
送風機が設けられた着衣は、作業現場等の身体を頻繁に動かす現場で着用されるのが一般的であるため、送風具には、身体を頻繁に動かす状況に適した機能が求められる。この点で、特許文献１に記載の送風具では、コルセットがずれたりすることで機能を十分に果たさなくなる場合もあり、構造的に改善の余地がある。
【０００５】
本発明は、上記課題を解決するためになされたものであり、その主たる目的は、各種の機能を改善した送風具を提供することにある。
【課題を解決するための手段】
【０００６】
本発明の基本構成は、外気を身体側へ送る送風機能を少なくとも一方が有する上半身着衣及び下半身着衣を、それぞれ上半身及び下半身に着用する人が装着する送風具であって、装着時に前記上半身着衣と身体との間に上端側が位置し、装着時に前記下半身着衣と身体との間に下端側が位置し、前記上半身着衣と前記身体との間の空間と、前記下半身着衣と前記身体との間の空間を繋ぐ気体の流路を有する本体部材を備えている。
【０００７】
第１の構成では、基本構成に加えて、前記本体部材の前記上端側には、装着時に前記上半身着衣側から前記身体側へ向けて前記下端側へと傾斜している上端傾斜部が設けられている。
【０００８】
送風機能を有する着衣は、作業現場等で使用されるのが一般的であり、作業現場等では屈む動作等が頻繁に行われる。屈む動作等が行われた場合には上半身下着がずり上がり、屈んだ状態から上半身を起こした状態へと姿勢を変化させた場合には、ずり上がった上半身下着が上半身着衣と送風具との間に入り込み、本体部材の流路を閉塞するおそれがある。この点、第１の構成では上端側に上端傾斜部を設けているため、ずり上がった上半身下着を上端傾斜部に沿わせて送風具と身体との間へと誘導することができる。したがって、ずり上がった上半身下着が上半身着衣と送風具との間に入り込む事態を抑制することができる。
【０００９】
第２の構成では、基本構成に加えて、前記本体部材の前記下端側には、装着時に前記身体側から前記下半身着衣側へ向けて前記上端側へと傾斜している下端傾斜部が設けられている。
【００１０】
作業現場では屈む動作等が頻繁に行われるため、送風具と下半身着衣との擦れが頻繁に起こる。第２の構成では、下端側に下端傾斜部を設けているため、本体部材の下端側と下半身着衣との接触面積を増加させることができ、下半身着衣と送風具とが擦れた際の下半身着衣の損傷を抑制することができる。
【００１１】
第３の構成では、基本構成における本体部材を複数備え、前記本体部材どうしは、互いに相対的な回動を許容し、且つ、前記身体方向への重畳が抑制されて接続されている。
【００１２】
第３の構成では、複数の本体部材どうしが相対的に回動可能であるため、各本体部材の身体に対する角度をそれぞれ異ならせることで、送風具全体の形状をより身体の形状に沿った形状とすることができる。また、作業時等には、各本体部材と身体との角度が作業に好適な角度となるように、各本体部材と身体との角度が変化するため、作業に好適な送風具を提供することができる。加えて、本体部材の重畳を抑制しているため、本体部材の重畳に起因する嵩張りを抑制することができる。
【００１３】
第４の構成では、基本構成における本体部材を複数備え、前記本体部材は、人が着用した場合において胴回り方向に並列に設けられ、互いの側面の一部で接続されている。
【００１４】
第４の構成では、本体部材の身体に対する角度等を個別に変更することができるため、作業時等における姿勢の変化に対して本体部材が個別に追従する。したがって、作業に好適な送風具を提供することができる。
【００１５】
第５の構成では、基本構成に加えて、本体部材の少なくとも一部が蛇腹状である。
【００１６】
第５の構成では、本体部材を蛇腹状としているため、本体部材の形状が人の身体の動きに沿って変形し、作業現場において好適に使用することができる。加えて、蛇腹状とすることで変形可能としつつ強度を確保しているため、着用者が姿勢を変化させた場合等でも流路が閉塞せず、上半身着衣と下半身着衣との間での空気の流通を担保することができる。
【００１７】
第６の構成では、基本構成に加えて、前記本体部材が着衣側と身体側との間での変形を抑制する補強部を備える。
【００１８】
第６の構成では、補強部により着衣側と身体側との間での変形を抑制しているため、変形による流路の閉塞を抑制することができる。したがって、着用者が姿勢を変化させた場合等でも流路が閉塞せず、上半身着衣と下半身着衣との間での空気の流通を担保することができる。
【００１９】
第７の構成では、基本構成に加えて、胴回り方向の幅が身体方向の厚みよりも大きい。
【００２０】
第７の構成では、本体部材が扁平した形状であるため、流路面積を確保しつつ、送風具を装着した際の嵩張りを抑制することができる。
【００２１】
第８の構成では、基本構成に加えて、前記上端側の前記流路の面積と、前記下端側の前記流路の面積が異なる。
【００２２】
第８の構成では、特に、送風機能を有する着衣側の流路の面積を送風機能を有しない着衣側の流路の面積よりも大きくすることで、送風機能を有する着衣側から送風機能を有しない着衣側へと空気を送る場合に、流路内を通過する気体の流速を向上させることができる。これにより、送風機能を有する着衣側からより効率よく空気を送出するとともに、送風機能を有しない着衣側からの体温により温められた空気の逆流を抑制することができる。
【００２３】
第９の構成では、基本構成における本体部材を３以上備え、前記本体部材のうちの少なくとも２つは、他の前記本体部材よりも前記流路が長い。
【００２４】
第９の構成では、他の本体部材よりも流路が長い本体部材のそれぞれを、足へ向けて空気が吹きだすように配置することができる。
【００２５】
第１０の構成では、基本構成に加えて、前記上半身着衣及び前記下半身着衣の少なくとも一方に取り付け可能な取付部を備える。
【００２６】
第１０の構成では、作業現場等で人が姿勢を変化させた場合でも、送風具は着衣に追従するため、上半身着衣と身体との間の空間と、下半身着衣と身体との間の空間とにおける、空気の流通機能を維持することができる。
【００２７】
第１１の構成は、基本構成に加えて、第１〜第１０のいずれかの構成を備える着衣である。
【００２８】
第１１の構成により、第１〜第１０のいずれかの構成の効果を着衣に付与することができる。
【００２９】
第１２の構成は、基本構成を備える送風具と、その送風具を取り付け可能な被取付部を有する前記上半身着衣及び前記下半身着衣の少なくとも一方と、を有する、空調機材である。
【００３０】
第１２の構成においても、第１１の構成と同様に、送風具が奏する効果を着衣に付与することができる。
【図面の簡単な説明】
【００３１】
【図１】第１実施形態に係る送風具の斜視図である。
【図２】第１実施形態に係る送風具の正面図である。
【図３】第１実施形態に係る送風具の背面図である。
【図４】第１実施形態に係る送風具の平面図である。
【図５】第１実施形態に係る送風具の左側面図である。
【図６】第１実施形態に係る送風部のＡ−Ａ断面図である。
【図７】第１実施形態に係る送風具を人が装着した場合の背面図である。
【図８】第１実施形態に係る送風具を人が装着した場合の断面図である。
【図９】第２実施形態に係る送風具の背面図である。
【図１０】第２実施形態に係る送風具の平面図である。
【図１１】第３実施形態に係る送風具の背面図である。
【図１２】第４実施形態に係る送風具の平面図である。
【発明を実施するための形態】
【００３２】
以下、各実施形態を図面に基づいて説明する。なお、以下の各実施形態相互において、互いに同一もしくは均等である部分には、図中、同一符号を付しており、同一符号の部分についてはその説明を援用する。
【００３３】
＜第１実施形態＞
本実施形態に係る送風具１０は、人が着用する着衣に対して装着して使用するものである。本実施形態に係る送風具の構造について、図１〜６を参照して説明する。
【００３４】
送風具１０は、断面が角丸長方形の筒状である本体部材１１を備えている。この本体部材１１において、周面の長辺側の一方を正面と称し、他方を背面と称する。また、周面の短辺側を側面と称する。本体部材１１の軸方向の一方の端部である上端部１２は、背面側の長辺から正面側の長辺側へと、他方の端部である下端部１３へ向けて傾斜した上端傾斜部１４が設けられている。この上端傾斜部１４は、正面方向の略中間まで略一定の角度で傾斜しており、その位置から正面側の長辺へ向けては、中心軸に対して平行となっている。一方、下端部１３には、正面側の長辺から背面側の長辺へと、上端部１２側へ向けて傾斜した下端傾斜部１５が設けられている。この下端傾斜部１５は、背面方向の略中間まで略一定の角度で傾斜しており、その位置から背面側の長辺へ向けては、中心軸に対して平行となっている。
【００３５】
上端部１２と下端部１３との間の領域である中間部１６の周面は、蛇腹状に形成されている。具体的には、本体部材１１の上下方向の軸方向に向けて、全周に亘る凹部と全周に亘る凸部とが交互に設けられており、本体部材の外側面が凸形状であれば内側面は凹形状であり、外側面が凹形状であれば、内側面が凸形状である。したがって、ある凹部に囲まれる面は本体部材１１の中心軸に対して直交しており、ある凸部に囲まれる面も同様に、本体部材１１の中心軸に対して直交している。また、各凹凸は、厚みが略均一となるように設けられている。本体部材１１の内側の空間には、本体部材１１の短辺に平行な板状の、本体部材１１の両長辺を繋ぐ補強部１７が２つ設けられている。この一対の補強部１７は平行に設けられており、且つ、それぞれの隣接する短辺からの距離は等しい。また、補強部１７の厚みは全面に亘って略均一である。
【００３６】
以上のように構成される本体部材１１は、内部の空間の中心軸に垂直な面の面積が、上端部１２から下端部１３へ向けて、徐々に小さくなる。すなわち、正面、背面、及び側面の幅が、それぞれ一定の割合で、上端部１２から下端部１３へ向けて徐々に小さくなっている。
【００３７】
本体部材１１の背面側の外側面には、取付部１８が設けられている。この取付部１８は、本体部材１１の背面と平行であり且つ幅及び厚みが略均一な板が、本体部材１１の上端部１２近傍で本体部材１１と接続されており、取付部１８の下端には、本体部材１１側へ隆起した返しが設けられている。また、この取付部１８の上下方向の長さは、中間部１６の長さよりも短い。
【００３８】
続いて、以上のように構成される送風具１０を人が装着し、上半身に上半身着衣２０を着用し、下半身に下半身着衣３０を着用した状態について、図７及び図８を参照して説明する。図７に示すように、上半身着衣２０は、人間が着用した際に人間の胴体を覆う胴部２１と、人間の腕を覆う一対の腕部２２を備えている。胴部２１の背中側には、送風装置２３が２つ設けられている。この送風装置２３には給電線（図示せず）を介してバッテリ（図示せず）が接続されており、スイッチ（図示せず）が操作されることでバッテリから送風装置２３へ電力が供給され、送風装置２３が備えるファンが回転する。この、送風装置により、上半身着衣２０の外部から人の身体側へと送風が行われる。
【００３９】
図７及び８に示すように、着用者は下半身着衣３０を着用しており、図８に示すように、上半身下着２４、及び下半身下着３１を着用しているが、下半身着衣３０は一般的な形状のズボンであるし、上半身下着２４および下半身下着３１のそれぞれも、一般的な形状のものであるため、具体的な説明は省略する。
【００４０】
図８に示すように、送風具１０における本体部材１１の上端部１２側は、上半身着衣２０と上半身下着２４との間に位置するように装着され、下端部１３側は、下半身着衣３０と下半身下着３１との間に位置するように装着される。このとき、下半身着衣３０に取り付けられたベルト３２を取付部１８と本体部材１１とが挟持することで、送風具が下半身着衣３０に取り付けられる。また、本体部材１１の正面側が上半身下着２４、下半身下着３１および身体４０の側を向き、本体部材１１の背面側が上半身着衣２０及び下半身着衣３０の側を向くように取り付けられる。
【００４１】
したがって、上端傾斜部１４は、上半身着衣２０側から身体４０側へ向けて下端部１３側へと傾斜していることとなり、下端傾斜部１５は、身体４０側から下半身着衣３０側へ向けて上端部１２側へと傾斜することとなる。
【００４２】
このようにして送風具１０が装着された状態で、送風装置２３を起動させるスイッチが操作されれば、送風装置２３から取り込まれた空気が上半身着衣２０と上半身肌着２４との間に充填され、且つ、その空気の一部は、送風具１０の本体部材１１内を通過して、下半身下着３０と下半身下着３１との間へと流入する。すなわち、送風具１０の本体部材１１は、上半身着衣２０と身体４０との間の空間と、下半身着衣３０と身体４０との間の空間とを繋ぐ、気体の流路として機能している。このとき、人の上半身から熱を奪った空気は、主に、上半身着衣２０の襟口及び袖口から外部へと放出される。また、人の下半身から熱を奪った空気は、主に、下半身着衣３０の足首から外部へと放出される。
【００４３】
上記構成により、本実施形態に係る送風具は、以下の効果を奏する。
【００４４】
・送風機能を有する上半身着衣２０は、作業現場等で使用されるのが一般的であり、作業現場等では屈む動作等が頻繁に行われる。屈む動作等が行われた場合には上半身着衣２０と身体４０との間で着用される上半身下着２４がずり上がり、屈んだ状態から上半身を起こした状態へと姿勢を変化させた場合には、ずり上がった上半身下着２４が上半身着衣２０と送風具１０との間に入り込み、本体部材１１の上端部１２の開口を閉塞するおそれがある。この点、本実施形態では上端部１２に上端傾斜部１４を設けているため、ずり上がった上半身下着２４を上端傾斜部１４に沿わせて送風具１０と身体４０との間へと誘導することができる。したがって、ずり上がった上半身下着２４が上半身着衣２０と送風具１０との間に入り込む事態を抑制することができる。
【００４５】
・作業現場等では屈む動作等が頻繁に行われるため、送風具１０と下半身着衣３０との擦れが頻繁に起こる。本実施形態では、下端部１３に下端傾斜部１５を設けているため、下端部１３における下半身着衣３０との接触面積を増加させることができる。したがって、下半身着衣３０と送風具１０とが擦れた際の下半身着衣３０の損傷を抑制することができる。
【００４６】
・本体部材１１において、上端部１２側の流路面積を下端部１３側の流路面積よりも大きくしているため、上半身着衣２０と身体４０との間から下半身着衣３０と身体４０との間へと空気を送る場合に、本体部材１１内を通過する空気の流速を向上させることができる。これにより、上半身着衣２０と身体４０との間からより効率よく空気を送出するとともに、下半身着衣３０と身体４０との間からの体温により温められた空気の逆流を抑制することができる。
【００４７】
・補強部１７を備えているため、その補強部１７により着衣側と身体４０側との間での変形が抑制され、気体の流路の閉塞を抑制することができる。したがって、着用者が姿勢を変化させた場合等でも気体の流路が閉塞せず、上半身着衣２０と下半身着衣３０との間での空気の流通を担保することができる。
【００４８】
・本体部材１１が扁平した形状であるため、流路面積を確保しつつ、送風具１０を装着した際の嵩張りを抑制することができる。
【００４９】
・取付部１８を備えており、その取付部１８により送風具１０を下半身着衣３０に取り付けることができるため、送風具１０は下半身着衣３０の動きに追従する。これにより、作業現場等で人が姿勢を変化させた場合でも、上半身着衣２０と身体４０との間の空間と、下半身着衣３０と身体４０との間の空間とにおける、空気の流通機能を維持することができる。
【００５０】
・本体部材１１の中間部１６を蛇腹状としており、外側面に連続する凹凸が設けられているため、その凹凸の角と、上半身着衣２０や下半身着衣３０等とが接触し、摩擦力が増加したり、引っ掛かったりする。したがって、本体部材１１の装着場所の位置ずれを抑制することができる。
【００５１】
＜第２実施形態＞
本実施形態に係る送風具５０は、構造の一部が第１実施形態と異なっている。本実施形態に係る送風具５０について、図９及び図１０を参照して説明する。
【００５２】
送風具５０は、筒状の本体部材５１，５１ａ，５１ｂを備えており、本体部材５１，５１ａ，５１ｂは、同等の形状である。これら本体部材５１，５１ａ，５１ｂは、断面が角丸長方形である筒状である。この本体部材５１，５１ａ，５１ｂにおいて、第１実施形態と同様に、周面の長辺側の一方を正面と称し、他方を背面と称する。また、周面の短辺側を側面と称する。本体部材５１，５１ａ，５１ｂの軸方向の一方の端部である上端部５２，５２ａ，５２ｂは、第１実施形態と同様に、それぞれ上端傾斜部が設けられている。この上端傾斜部については、具体的な図示は省略する。一方、下端部５３，５３ａ，５３ｂにも、第１実施形態と同様に、傾斜した下端傾斜部５５，５５ａ，５５ｂが設けられている。上端部５２，５２ａ，５２ｂと下端部の５３，５３ａ，５３ｂとの間の領域である中間部５６，５６ａ，５６ｂの周面は、第１実施形態と同様に、蛇腹状に形成されている。
【００５３】
上述した３つの本体部材５１，５１ａ，５１ｂについて、中央に位置する本体部材５１を中央本体部材５１と称し、人が装着した際に中央本体部材５１の左側に位置するものを左方本体部材５１ａと称し、人が装着した際に中央本体部材５１の右側に位置するものを右方本体部材５１ｂと称するものとする。中央本体部材５１の左側面は、左方本体部材５１ａの右側面と接続部５９により一箇所で接続されている。同様に、中央本体部材５１の右側面は、右方本体部材５１ｂの左側面と接続部５９により一箇所で接続されている。各接続箇所の上下方向の位置は等しく、各上端部５２，５２ａ，５２ｂ及び各下端部５３，５３ａ，５３ｂの上下方向の位置も等しい。
【００５４】
接続部５９は円柱形であり、接続部５９の両端が各本体部材５１，５１ａ，５１ｂの側面に接続されることで、本体部材５１，５１ａ，５１ｂどうしを接続している。また、接続部５９の長さは、中間部５６，５６ａ，５６ｂの短辺の長さよりも短く、接続部５８を折り曲げたとしても、本体部材５１，５１ａ，５１ｂの正面側どうし、および背面側どうしが重畳しないようになっている。この接続部５９は本体部材５１，５１ａ，５１ｂと同様にポリエチレンにより形成されており、かつ、各本体部材５１，５１ａ，５１ｂとともに、一体成型されている。加えて、接続部５９は可撓性を有するため湾曲可能であり、接続部５８を軸として、接続部５９を捩じることで本体部材５１，５１ａ，５１ｂを回動可能である。
【００５５】
本体部材５１，５１ａ，５１ｂのうち、中央本体部材５１の背面側には、取付部５８が設けられている。この取付部５８については、第１実施形態における取付部１８と同等の形状であるため、具体的な説明を省略する。
【００５６】
以上のように構成される送風具５０は、第１実施形態と同様に、上端部５２，５２ａ，５２ｂ側が上半身着衣２０と身体４０との間に位置し、下端部５３，５３ａ，５３ｂ側が下半身着衣３０と身体４０との間に位置するように装着される。このとき、送風具５０の各本体部材５１，５１ａ，５１ｂは、いずれも、上半身着衣２０と身体４０との間の空間と、下半身着衣３０と身体４０との間の空間とを繋ぐ、気体の流路として機能する。具体的な使用方法については、第１実施形態と同等であるため、説明は省略する。
【００５７】
上記構成により、本実施形態に係る送風具５０は、第１実施形態に係る送風具１０が奏する効果に加えて、以下の効果を奏する。
【００５８】
・本体部材５１，５１ａ，５１ｂの中間部５６，５６ａ，５６ｂを蛇腹状としているため、本体部材５１，５１ａ，５１ｂの形状が人の身体４０の動きに沿って変形し、作業現場において好適に使用することができる。
【００５９】
・本体部材５１，５１ａ，５１ｂの中間部５６，５６ａ，５６ｂを蛇腹状とすることで変形可能としつつ強度を確保しているため、着用者が姿勢を変化させた場合等でも流路が閉塞せず、上半身着衣２０と下半身着衣３０との間での空気の流通を担保することができる。
【００６０】
・本体部材５１，５１ａ，５１ｂどうしが相対的に回動可能であるため、各本体部材５１，５１ａ，５１ｂの身体４０に対する角度をそれぞれ異ならせることで、送風具全体の形状をより身体４０の形状に沿った形状とすることができる。また、作業時等には、各本体部材５１，５１ａ，５１ｂと身体４０との角度が作業に好適な角度となるように、各本体部材５１，５１ａ，５１ｂと身体４０との角度が変化するため、作業に好適な送風具を提供することができる。
【００６１】
・接続部５９の長さが、中間部５６，５６ａ，５６ｂの短辺の長さよりも短いため、接続部５８を折り曲げたとしても、本体部材５１，５１ａ，５１ｂの正面側どうし、および背面側どうしが重畳しない。これにより、本体部材５１，５１ａ，５１ｂの重畳に起因する送風具５０全体の嵩張りを抑制することができる。
【００６２】
・本体部材５１，５１ａ，５１ｂの側面の一箇所を接続部５９により接続しているため、身体４０に対する本体部材５１，５１ａ，５１ｂの角度等を個別に変更することができる。したがって、作業時等における姿勢の変化に対して本体部材を個別に追従させることができる。
【００６３】
＜第３実施形態＞
本実施形態に係る送風具６０は、構造の一部が第２実施形態と異なっている。本実施形態に係る送風具６０について、図１１を参照して説明する。本実施形態に係る送風具６０は、第２実施形態と同様に、断面が角丸長方形である筒状の中央本体部材６１、左方本体部材６１ａ、及び右方本体部材６１ｂを備えており、左方本体部材６１ａ、及び右方本体部材６１ｂの形状が第２実施形態と異なっている。
【００６４】
本実施形態における左方本体部材６１ａは中央本体部材６１よりも長く、且つ、下端部６３ａ側が左方向へと湾曲している。同様に、右方本体部材６１ｂも中央本体部材６１よりも長く、且つ、下端部６３ｂ側が右方向へと湾曲している。
【００６５】
各本体部材６１，６１ａ，６１ｂの軸方向の一方の端部である上端部６２，６２ａ，６２ｂは、第１実施形態及び第２実施形態と同様に、それぞれ上端傾斜部が設けられている。この上端傾斜部については、具体的な図示は省略する。一方、下端部６３，６３ａ，６３ｂにも、第１実施形態及び第２実施形態と同様に、傾斜した下端傾斜部６５，６５ａ，６５ｂが設けられている。上端部６２，６２ａ，６２ｂと下端部の６３，６３ａ，６３ｂとの間の領域である中間部６６，６６ａ，６６ｂの周面は、第１実施形態及び第２実施形態と同様に、蛇腹状に形成されている。
【００６６】
中央本体部材６１には、取付部６８が設けられている。また、中央本体部材６１と、左方本体部材６１ａ及び右方本体部材６１ｂとは、第２実施形態と同様に、接続部６９により接続されている。これら取付部６８及び接続部６９については、第２実施形態と同等の形状であるため、具体的な説明は省略する。
【００６７】
以上のように構成される送風具６０は、第１実施形態及び第２実施形態と同様に、上端部６２，６２ａ，６２ｂ側が上半身着衣２０と身体４０との間に位置し、下端部６３，６３ａ，６３ｂ側が下半身着衣３０と身体４０との間に位置するように装着される。このとき、左方本体部材６１ａの下端部６３ａは、着用者の左足の付根近傍に位置し、右方本体部材６１ｂの下端部６３ｂは、着用者の右足の付根近傍に位置することとなる。なお、具体的な使用方法については、第１実施形態と同等であるため、説明は省略する。
【００６８】
上記構成により、本実施形態に係る送風具６０は、第２実施形態に係る送風具５０が奏する効果に加えて、以下の効果を奏する。
【００６９】
・送風具６０を装着した際に、左方本体部材６１ａ及び右方本体部材６１ｂの下端部６３ａ，６３ｂが、それぞれ左右の足の付根近傍に位置するため、足に向けて効率よく送風を行うことができる。
【００７０】
＜第４実施形態＞
本実施形態に係る送風具７０は、構造の一部が第１実施形態と異なっている。本実施形態に係る送風具７０について、図１２を参照して説明する。本実施形態に係る送風具７０は、第１実施形態に係る送風具１０の、正面側の面を有しない形状と同等の形状である。すなわち本実施形形態に係る送風具７０の本体部材７１は、第１実施形態に係る送風具１０の背面に相当する長板状の部材の両側面に、第１実施形態に係る送風具１０の側面に相当する長板状の部材が接続されている構造である。したがって、背面図については、第１実施形態と同一であり、正面図、側面図、断面図についても、第１実施形態における各図から自明なものであるため、具体的な図示は省略している。
【００７１】
本実施形態に係る送風具７０の本体部材７１は、図示するように、第１実施形態に係る送風具１０が有するものと同等の形状の補強部７７、及び、接続部７８を備えている。
【００７２】
なお、本実施形態に係る送風具の上端部には、第１〜３実施形態と同様に上端傾斜部が設けられており、下端部には、第１〜３実施形態と同様に下端傾斜部が設けられている。これらの形状は、正面側の面を有しない点を除いて第１実施形態と同様であるため、具体的な図示及び説明を省略する。
【００７３】
本実施形態に係る送風具７０を装着した場合、送風具を身体４０との間の空間が空気の流路として機能し、上半身着衣２０と身体４０との間の空間と、下半身着衣３０と身体４０との間の空間とを、その流路が繋ぐことになる。
【００７４】
上記構成により、本実施形態に係る送風具７０は、第１実施形態に係る送風具が奏する効果に準ずる効果を奏する。
【００７５】
＜変形例＞
・各実施形態では、中間部１６，５６，５６ａ，５６ｂ，６６，６６ａ，６６ｂ，７６を蛇腹状に形成するものとしたが、蛇腹状とせず平坦な板状としてもよい。また、上端部１２，５２，５２ａ，５２ｂ，６２，６２ａ，６２ｂ，７２及び下端部１３，５３，５３ａ，５３ｂ，６３，６３ａ，６３ｂ，７３の少なくとも一方を、端まで蛇腹状に形成してもよいし、上端部１２，５２，５２ａ，５２ｂ，６２，６２ａ，６２ｂ，７２及び下端部１３，５３，５３ａ，５３ｂ，６３，６３ａ，６３ｂ，７３の少なくとも一方を蛇腹状にしつつ、中間部１６，５６，５６ａ，５６ｂ，６６，６６ａ，６６ｂ，７については平坦な板状としてもよい。なお、蛇腹状に形成するうえで、外側面のみに凹凸を交互に設け、内側面を平坦な面としてもよい。
【００７６】
・各実施形態では、本体部材１１，５１，５１ａ，５１ｂ，６１，６１ａ，６１ｂ，７１を上端部１２，５２，５２ａ，５２ｂ，６２，６２ａ，６２ｂ，７２から下端部１３，５３，５３ａ，５３ｂ，６３，６３ａ，６３ｂ，７３へ向かって流路面積が徐々に小さくなるものとしているが、流路面積が一定であってもよい。また、上端部１２，５２，５２ａ，５２ｂ，６２，６２ａ，６２ｂ，７２から下端部１３，５３，５３ａ，５３ｂ，６３，６３ａ，６３ｂ，７３へ向かって流路面積が徐々に大きくなるものとしてもよい。
【００７７】
・各実施形態では、上端部１２，５２，５２ａ，５２ｂ，６２，６２ａ，６２ｂ，７２及び下端部１３，５３，５３ａ，５３ｂ，６３，６３ａ，６３ｂ，７３のそれぞれが、全面に亘って開口しているが、一部が開口するものであってもよい。例えば、上端部１２，５２，５２ａ，５２ｂ，６２，６２ａ，６２ｂ，７２及び下端部１３，５３，５３ａ，５３ｂ，６３，６３ａ，６３ｂ，７３の少なくとも一方に、開口部の一部を閉塞する板状の部材を設けたり、１又は複数の孔が設けられた板状の部材を設けたりしてもよい。
【００７８】
・第１実施形態及び第４実施形態では、補強部１７，７７を備えるものとしているが、補強部は備えなくてもよい。また、中間部１６，５６，５６ａ，５６ｂ，６６，６６ａ，６６ｂ，７６を蛇腹状に形成することで、本体部材１１，５１，５１ａ，５１ｂ，６１，６１ａ，６１ｂ，７１の強度が増して流路の閉塞を抑制することができるため、蛇腹状に形成された中間部１６，５６，５６ａ，５６ｂ，６６，６６ａ，６６ｂ，７６を補強部と称することができる。
【００７９】
・本体部材１１，５１，５１ａ，５１ｂ，６１，６１ａ，６１ｂ，７１の強度を確保するうえで、本体部材１１，５１，５１ａ，５１ｂ，６１，６１ａ，６１ｂ，７１の材質により、流路の閉塞を抑制する強度を持たせてもよい。また、本体部材１１，５１，５１ａ，５１ｂ，６１，６１ａ，６１ｂ，７１の側面の厚みを増やしたり、短辺の長さを短くしたりして、流路の閉塞を抑制する強度を持たせてもよい。なお、流路の閉塞を抑制する強度を持たせるうえで、正面と背面の幅方向の中間近傍が接触しつつ、幅方向の両端には隙間が生じて流路を確保できればよいが、ベルト３２を強く締めたとしても、正面と背面の幅方向の中間近傍が接触しない程度の強度があることが、より好ましい。
【００８０】
・各実施形態では、本体部材１１，５１，５１ａ，５１ｂ，６１，６１ａ，６１ｂ，７１の断面形状を角丸長方形としたが、断面形状はこれに限られない。角丸多角形、多角形、円形、長円形、楕円形等、種々の断面形状とすることができる。
【００８１】
・各実施形態において、取付部１８，５８，６８，７８により送風具１０，５０，６０，７０を下半身着衣３０に装着するものとしたが、送風具１０，５０，６０，７０の取付方法は種々の変更が可能である。例えば、下半身着衣３０にはベルト３１を装着することが一般的であるため、そのベルト３１により送風具１０，５０，６０，７０を身体４０側へ押圧することで、送風具１０，５０，６０，７０を装着するものとしてもよい。また、他の形状の取付部等により、上半身着衣２０、上半身下着２４、下半身下着３２等に送風具１０，５０，６０，７０を装着するものとしてもよい。
【００８２】
・各実施形態では、送風具１０，５０，６０，７０に取付部１８，５８，６８，７８を設けるものとしたが、上半身着衣２０、下半身着衣３０、上半身下着２４、下半身下着３２等に、送風具１０，５０，６０，７０を取り付け可能な被取付部を設けるものとしてもよい。この場合には、空調機材と称することができる。被取付部を備える着衣と送風具１０，５０，６０，７０とを纏めて、空調機材と称することができる。
【００８３】
・実施形態では、送風具１０，５０，６０，７０を下半身着衣３０に着脱可能としたが、送風具を着脱可能とせず、あらかじめ上半身着衣２０又は下半身着衣３０が送風具１０，５０，６０，７０を備えるものとしてもよい。
【００８４】
・第２実施形態及び第３実施形態では、本体部材５１，５１ａ，５１ｂ，６１，６１ａ，６１ｂを３本設けるものとしたが、本体部材の数はこれに限られない。
【００８５】
・第２実施形態及び第３実施形態では、接続部５９，６９により左右それぞれ１箇所で接続するものとしたが、接続部５９，６９の数及び接続する部分については、種々の変更が可能である。
【００８６】
・第２実施形態及び第３実施形態において、本体部材５１，５１ａ，５１ｂ，６１，６１ａ，６１ｂの上端部５２，５２ａ，５２ｂ，６２，６２ａ，６２ｂの位置を揃えるものとしているが、位置が異なっていてもよい。また、第２実施形態において、本体部材５１，５１ａ，５１ｂの下端部５３，５３ａ，５３ｂの位置が異なっていてもよい。
【００８７】
・第２実施形態及び第３実施形態において、上端傾斜部及び下端傾斜部５５，５５ａ，５５ｂの傾斜方向の一部を、逆方向としてもよい。また、傾斜部を有しない本体部材があってもよい。
【００８８】
・第２実施形態及び第３実施形態では、各本体部材５１，５１ａ，５１ｂ，６１，６１ａ，６１ｂの断面形状を等しくしているが、異なっていてもよい。
【００８９】
・第２実施形態及び第３実施形態では、本体部材５１，５１ａ，５１ｂ，６１，６１ａ，６１ｂどうしを接続部５９，６９で接続するものとしているが、接続部５９，６９を設けず、本体部材５１，５１ａ，５１ｂ，６１，６１ａ，６１ｂの側面どうしを直接接続するものとしてもよい。この場合において、側面の全体を接続するものとしてもよいが、第２実施形態及び第３実施形態のように側面の一部のみを接続すれば、装着時の柔軟性を確保することができる。
【００９０】
・第２実施形態及び第３実施形態では、円柱形の接続部５９，６９により本体部材５１，５１ａ，５１ｂ，６１，６１ａ，６１ｂどうしを接続するものとしたが、接続部５９，６９の形状はこれに限られない。例えば、板状の接続部により接続してもよい。この場合でも、板状の接続部の硬さを撓む程度のものとすれば、本体部材５１，５１ａ，５１ｂ，６１，６１ａ，６１ｂを身体４０の動きに追従させて回動させることができる。なお、接続部を板状とした場合に、本体部材５１，５１ａ，５１ｂ，６１，６１ａ，６１ｂの軸方向に水平な板状であってもよいし、垂直な板状であってもよい。
【００９１】
・第２実施形態及び第３実施形態のように接続部５９，６９を設ける代わりに、接続部の機能を有する部材を別に設けるものとしてもよい。例えば、隣接させる本体部材５１，５１ａ，５１ｂ，６１，６１ａ，６１ｂどうしの間に隙間が生じるようにしたうえで、粘着力を有するテープやベルト状の部材等のような柔軟性を有する部材を、外側面に巻き付けるようにしてもよい。
【００９２】
・第４実施形態では、第１実施形態に係る送風具１０の正面側の面を有しない形状と同等の形状としたが、この形状を第２実施形態に係る送風具５０や第３実施形態に係る送風具６０に適用してもよい
【００９３】
・実施形態では、上半身着衣２０が送風機能を有するものとしたが、上半身着衣２０については送風機能を有さず、下半身着衣３０が送風機能を有する場合でも、各実施形態に係る送風具１０，５０，６０，７０を装着して同様の効果を得ることができる。また、上半身着衣２０及び下半身着衣３０が共に送風機能を有している場合でも送風具１０，５０，６０，７０を装着してもよい。この場合には、上半身着衣２０及び下半身着衣３０の一方の送風機能を停止させた状態で使用することができるため、長時間の作業の場合において送風機能を選択して作動させることができる。また、バッテリ切れの場合にも、他方の着衣の送風機能により、バッテリが切れた着衣側への送風を行うことができる。
【００９４】
・実施形態では、送風具１０，５０，６０，７０を人の背中側に装着するものとしているが、脇腹近傍に装着してもよいし、腹部近傍に装着してもよい。また、送風具１０，５０，６０，７０を装着する数についても一つに限られず、複数であってもよい。この場合に各送風具１０，５０，６０，７０の本体部材１１，５１，５１ａ，５１ｂ，６１，６１ａ，６１ｂ，７１どうしが第２実施形態や第３実施形態のごとく接続部で接続されていてもよいし、接続されていなくてもよい。
【００９５】
・実施形態では、送風具１０，５０，６０，７０を単一の材料で一体成型するものとしたが、材料は実施形態で示したものに限られないし、部材ごとに成型した後に接合させるものとしてもよい。また、部材ごとに材料を変更したりしてもよい。
【符号の説明】
【００９６】
１０…送風具、１１…本体部材、１２…上端部、１３…下端部、１４…上端傾斜部、１５…下端傾斜部、１６…中間部、１７…補強部、１８…取付部、２０…上半身着衣、３０…下半身着衣、４０…身体、５０…送風具、５１…中央本体部材、５１ａ…左方本体部材、５１ｂ…右方本体部材、５２，５２ａ，５２ｂ…上端部、５３，５３ａ，５３ｂ…下端部、５５，５５ａ，５５ｂ…下端傾斜部、５６，５６ａ，５６ｂ…中間部、５８…取付部、５９…接続部、６０…送風具、６１…中央本体部材、６１ａ…左方本体部材、６１ｂ…右方本体部材、６２，６２ａ，６２ｂ…上端部、６３，６３ａ，６３ｂ…下端部、６５，６５ａ，６５ｂ…下端傾斜部、６６，６６ａ，６６ｂ…中間部、６８…取付部、６９…接続部、７０…送風具、７１…本体部材、７７…補強部、７８…取付部
【図１】
2020079465.tif 000003
【図２】
2020079465.tif 000004
【図３】
2020079465.tif 000005
【図４】
2020079465.tif 000006
【図５】
2020079465.tif 000007
【図６】
2020079465.tif 000008
【図７】
2020079465.tif 000009
【図８】
2020079465.tif 000010
【図９】
2020079465.tif 000011
【図１０】
2020079465.tif 000012
【図１１】
2020079465.tif 000013
【図１２】
2020079465.tif 000014